(57)【特許請求の範囲】
【請求項１】
文字列を入力する入力部と、入力された文字列を仮名漢字変換辞書を参照して仮名漢字交じり文字列に変換する仮名漢字変換部と、通信回線を介して電子メールを送受信する通信部と、入力された文字列や電子メールの文書を表示する表示部と、電子メールの受信文から文字列と宛名情報であるメールアドレスとを取り出す文字列取出部と、取り出した文字列を構文解析し各文節に分かつ構文解析部と、各文節の単語情報を取り出す単語情報取出部と、取り出した単語情報を、前記宛名情報に対応付けられた領域に記憶する学習単語記憶部とを備え、前記仮名漢字変換部は、受信した電子メールの受信文を引用して受信文に対する返信文を作成する際に学習単語記憶部に記憶された宛名情報から、返信先の宛名情報を検索し、検索した宛名情報に対応付けて記憶されている単語情報を仮名漢字変換辞書より優先して用い、入力された文字列を仮名漢字交じり文字列に変換することを特徴とする情報処理装置。
【請求項２】
前記学習単語記憶部は、電子メールの受信文から取り出した単語情報を記憶する返信者用学習単語バッファと通常文書の作成において使用した単語情報を記憶する通常用学習単語バッファとからなることを特徴とする請求項１記載の情報処理装置。
【請求項３】
前記単語情報取出部により取り出された単語情報の読みを取り出す読み取出部と、取り出した読みの先頭から所定の数文字を見出し語として対応する漢字表記とを対にして記憶する短縮変換辞書記憶部とをさらに備え、前記短縮変換辞書記憶部は、電子メールの受信文から取り出した単語情報の読みを見出し語として対応する漢字表記とを対にして、前記宛名情報に対応付けられた領域に記憶する返信者用短縮変換辞書と、通常文書の作成において使用した単語情報の読みを見出し語として対応する漢字表記とを対にして記憶する通常用短縮変換辞書とからなることを特徴とする請求項１記載の情報処理装置。
【請求項４】
コンピュータを用いて、入力部によって文字列を入力し、仮名漢字変換部によって、入力された文字列を仮名漢字変換辞書を参照して仮名漢字交じり文字列に変換し、通信部によって、通信回線を介して電子メールを送受信し、表示部によって、入力された文字列や電子メールの文書を表示し、文字列取出部によって、電子メールの受信文から文字列と宛名情報であるメールアドレスとを取り出し、構文解析部によって、取り出した文字列を構文解析し各文節に分かち、単語情報取出部によって、各文節の単語情報を取り出し、学習単語記憶部によって、取り出した単語情報を、前記宛名情報に対応付けられた領域に記憶し、仮名漢字変換部は、受信した電子メールの受信文を引用して受信文に対する返信文を作成する際に学習単語記憶部に記憶された宛名情報から、返信先の宛名情報を検索し、検索した宛名情報に対応付けて記憶されている単語情報を仮名漢字変換辞書より優先して用い、入力された文字列を仮名漢字交じり文字列に変換することを特徴とする情報処理方法。
【請求項５】
情報処理装置に利用される記憶媒体であって、入力部を用いて文字列を入力する機能と、仮名漢字変換部を用いて、入力された文字列を仮名漢字変換辞書を参照して仮名漢字交じり文字列に変換する機能と、通信部を用いて、通信回線を介して電子メールを送受信する機能と、表示部を用いて、入力された文字列や電子メールの文書を表示する機能と、文字列取出部を用いて、電子メールの受信文から文字列と宛名情報であるメールアドレスとを取り出す機能と、構文解析部を用いて、取り出した文字列を構文解析し各文節に分かつ機能と、単語情報取出部を用いて、各文節の単語情報を取り出す機能と、学習単語記憶部を用いて、取り出した単語情報を、前記宛名情報に対応付けられた領域に記憶する機能と、仮名漢字変換部は、受信した電子メールの受信文を引用して電子メールの受信文に対する返信文を作成する際に学習単語記憶部に記憶された宛名情報から、返信先の宛名情報を検索し、検索した宛名情報に対応付けて記憶されている単語情報を仮名漢字変換辞書より優先して用い、入力された文字列を仮名漢字交じり文字列に変換する機能とをコンピュータに実行させる情報処理プログラムを記憶した記憶媒体。
【発明の詳細な説明】
【０００１】
【発明が属する技術分野】
本発明は、電子メール編集機能を備えた日本語ワードプロセッサ、パーソナルコンピュータ等に適用され、電子メールの編集における仮名漢字変換効率を高くする情報処理装置及び方法並びにこれに利用される記憶媒体に関する。
【０００２】
【従来の技術】
近年、ネットワークを介して電子メールを送受信するパーソナルコンピュータなどの情報処理装置が広く利用されている。従来の情報処理装置は、受信した電子メールに対する返信用の電子メールの内容を、受信した電子メールを引用して作成する場合があるが、一般的な文書編集で行われていた。特に、携帯型の情報処理装置では、文書編集に適した入力装置が設けられていないことがあり、電子メールの文書編集が負担になっていた。
【０００３】
この問題を改善する技術として、特開平１１−８５７４２号公報の記載によれば、特定の目的を持った電子メールに対する返信用の電子メールの編集を容易に行うことが可能な情報処理装置が提案されている。
【０００４】
【発明が解決しようとする課題】
しかしながら、特開平１１−８５７４２号公報の電子メールの編集技術は、例えば、特定の文字コードを指示する変換テーブルを用いて、選択方式のアンケートの返信で、選択肢が「白丸○」で列記されており、選択する項目を「黒丸●」にする場合に、選択したい項目の「白丸○」をポインティングデバイス等で指示すると「黒丸●」に変換するという編集技術である。
【０００５】
このため、返信用の電子メールの文書編集において、入力した文字列を仮名漢字変換するとき、通常の文書編集と同じ仮名漢字変換が行われるため誤った変換候補が優先されるという問題があった。
【０００６】
本発明は以上の事情を考慮してなされたもので、例えば、電子メールの受信文から取り出した単語情報を学習単語記憶部に予め記憶しておき、電子メールの返信文を作成する際に、この学習単語記憶部を仮名漢字変換辞書より優先して使用することにより、仮名漢字変換効率をより高くして、電子メールの返信文を効率よく作成することができる情報処理装置及び方法並びにこれに利用される記憶媒体を提供する。
【０００７】
【課題を解決するための手段】
本発明は、文字列を入力する入力部と、入力された文字列を仮名漢字変換辞書を参照して仮名漢字交じり文字列に変換する仮名漢字変換部と、通信回線を介して電子メールを送受信する通信部と、入力された文字列や電子メールの文書を表示する表示部と、電子メールの受信文から文字列と宛名情報であるメールアドレスとを取り出す文字列取出部と、取り出した文字列を構文解析し各文節に分かつ構文解析部と、各文節の単語情報を取り出す単語情報取出部と、取り出した単語情報を、前記宛名情報に対応付けられた領域に記憶する学習単語記憶部とを備え、前記仮名漢字変換部は、受信した電子メールの受信文を引用して受信文に対する返信文を作成する際に学習単語記憶部に記憶された宛名情報から、返信先の宛名情報を検索し、検索した宛名情報に対応付けて記憶されている単語情報を仮名漢字変換辞書より優先して用い、入力された文字列を仮名漢字交じり文字列に変換することを特徴とする情報処理装置である。
【０００８】
本発明によれば、電子メールの受信文から取り出した単語情報を学習単語記憶部に予め記憶しておき、電子メールの返信文を作成する際に、この学習単語記憶部を仮名漢字変換辞書より優先して使用することにより、仮名漢字変換効率をより高くして、電子メールの返信文を効率よく作成することができる。
【０００９】
前記学習単語記憶部は、電子メールの受信文から取り出した単語情報を記憶する返信者用学習単語バッファと通常文書の作成において使用した単語情報を記憶する通常用学習単語バッファとからなる構成にしてもよい。この構成によれば、返信者用学習単語バッファと通常用学習単語バッファと使い分けて、返信文の作成するときの仮名漢字変換効率をより高くすることができる。
【００１０】
前記返信者用学習単語バッファは、電子メールの受信文から取り出した単語情報を返信者毎に対応づけた領域に記憶する構成にしてもよい。この構成によれば、電子メールの受信文から取り出した単語情報を返信者ごとに対応づけて学習単語記憶部の返信者用学習単語バッファに予め記憶しておき、電子メールの返信文を作成するときに、この学習単語記憶部を仮名漢字変換辞書より優先して使用することにより、仮名漢字変換効率をより高くして、電子メールの返信文を効率よく作成することができる。
【００１１】
前記単語情報取出部により取り出された単語情報の読みを取り出す読み取出部と、取り出した読みの先頭から所定の数文字を見出し語として対応する漢字表記とを対にして記憶する短縮変換辞書記憶部とをさらに備えた構成にしてもよい。この構成によれば、電子メールの受信文から取り出した単語情報の読みと漢字を短縮変換辞書記憶部に予め記憶しておき、電子メールの受信文に含まれる文書を引用した返信文を作成するときに、短縮変換辞書として利用することにより、返信文を効率よく作成することができる。
【００１２】
前記短縮変換辞書記憶部は、電子メールの受信文から取り出した単語情報の読みを見出し語として対応する漢字表記とを対にして記憶する返信者用短縮変換辞書と通常文書の作成において使用した単語情報の読みを見出し語として対応する漢字表記とを対にして記憶する通常用短縮変換辞書とからなる構成にしてもよい。
この構成によれば、返信者用短縮変換辞書と通常用短縮変換辞書と使い分けて、返信文の作成するときの短縮変換効率をより高くすることができる。
【００１３】
前記返信者用短縮変換辞書は、電子メールの受信文から取り出した単語情報の読みを見出し語として対応する漢字表記とを対にし、返信者毎に対応づけた領域に記憶する構成にしてもよい。この構成によれば、電子メールの受信文から取り出した単語情報の読みと漢字を短縮変換辞書記憶部に予め返信者ごとに対応づけて記憶しておき、電子メールの受信文に含まれる文書を引用した返信文を作成するときに、短縮変換辞書として利用することにより、返信文を効率よく作成することができる。
【００１４】
本発明の別の観点によれば、コンピュータを用いて、入力部によって文字列を入力し、仮名漢字変換部によって、入力された文字列を仮名漢字変換辞書を参照して仮名漢字交じり文字列に変換し、通信部によって、通信回線を介して電子メールを送受信し、表示部によって、入力された文字列や電子メールの文書を表示し、文字列取出部によって、電子メールの受信文から文字列と宛名情報であるメールアドレスとを取り出し、構文解析部によって、取り出した文字列を構文解析し各文節に分かち、単語情報取出部によって、各文節の単語情報を取り出し、学習単語記憶部によって、取り出した単語情報を、前記宛名情報に対応付けられた領域に記憶し、仮名漢字変換部は、受信した電子メールの受信文を引用して受信文に対する返信文を作成する際に学習単語記憶部に記憶された宛名情報から、返信先の宛名情報を検索し、検索した宛名情報に対応付けて記憶されている単語情報を仮名漢字変換辞書より優先して用い、入力された文字列を仮名漢字交じり文字列に変換することを特徴とする情報処理方法が提供される。
【００１５】
本発明の別の観点によれば、情報処理装置に利用される記憶媒体であって、入力部を用いて文字列を入力する機能と、仮名漢字変換部を用いて、入力された文字列を仮名漢字変換辞書を参照して仮名漢字交じり文字列に変換する機能と、通信部を用いて、通信回線を介して電子メールを送受信する機能と、表示部を用いて、入力された文字列や電子メールの文書を表示する機能と、文字列取出部を用いて、電子メールの受信文から文字列と宛名情報であるメールアドレスとを取り出す機能と、構文解析部を用いて、取り出した文字列を構文解析し各文節に分かつ機能と、単語情報取出部を用いて、各文節の単語情報を取り出す機能と、学習単語記憶部を用いて、取り出した単語情報を、前記宛名情報に対応付けられた領域に記憶する機能と、仮名漢字変換部は、受信した電子メールの受信文を引用して電子メールの受信文に対する返信文を作成する際に学習単語記憶部に記憶された宛名情報から、返信先の宛名情報を検索し、検索した宛名情報に対応付けて記憶されている単語情報を仮名漢字変換辞書より優先して用い、入力された文字列を仮名漢字交じり文字列に変換する機能とをコンピュータに実行させる情報処理プログラムを記憶した記憶媒体が提供される。
【００１６】
【発明の実施の形態】
以下、図に示す実施例に基づいて本発明を詳述する。なお、本発明はこれによって限定されるものではない。
【００１７】
図１は本発明の一実施例である情報処理装置のハード構成の示すブロック図である。図１に示すように、本実施例の情報処理装置は、制御部１、入力部２、表示部３、通信部４、プログラムメモリ５、辞書記憶部６、学習単語記憶部７、短縮変換辞書記憶部８、記憶媒体９、記憶媒体読取部１０、バス１１などから構成されている。
【００１８】
制御部１はコンピュータのＣＰＵからなり、プログラムメモリ５に記憶された制御プログラムを用いて、バス９を介して装置全体を制御する。
また、制御部１は、プログラムメモリに記憶された制御プログラムによって電子メールの受信文から文字列を取り出す文字列取出部、取り出した文字列を構文解析し各文節に分かつ構文解析部、各文節の単語情報を取り出す単語情報取出部、通常は入力された文字列を仮名漢字変換辞書を参照して仮名漢字交じり文字列に変換し、電子メールの受信文に対する返信文を作成する際には、学習単語記憶部を仮名漢字変換辞書より優先して用い、入力された文字列を仮名漢字交じり文字列に変換する仮名漢字変換部として機能する。
【００１９】
入力部２は、例えば、キーボード、マウス、ペン、タブレットなどからなり、文字の入力や変換指示などを行う。また、入力部２は、電子メールの返信を指示する返信指示部２−１として機能する。
表示部３は、例えば、ＣＲＴディスプレイ、液晶ディスプレイ（ＬＣＤ）、プラズマディスプレイなどからなり、入力された文字列や電子メールの文書を表示する。
通信部４は、例えば、モデム、通信信号変復調回路などからなり、通信回線を介して電子メールの送受信などを行う。
【００２０】
プログラムメモリ５は、例えば、ＲＯＭ、ＥＥＰＲＯＭ、ＦＤ、ＨＤ、ＭＤなどからなり、電子メールの送受信を制御する電子メール制御プログラム５−１、電子メールの受信文から文字列を取り出す文字列取出プログラム５−２、取り出した文字列を構文解析し各文節に分かつ構文解析プログラム５−３、各文節の単語情報を取り出す単語情報取出プログラム５−４、通常は入力された文字列を仮名漢字変換辞書を参照して仮名漢字交じり文字列に変換し、電子メールの受信文に対する返信文を作成する際には、学習単語記憶部を仮名漢字変換辞書より優先して用い、入力された文字列を仮名漢字交じり文字列に変換する仮名漢字変換プログラム５−５、学習単語記憶部に単語情報を記憶する学習単語記憶制御プログラム５−６、単語情報から読みを取り出す読み取出プログラム５−７、短縮変換辞書記憶部にデータを記憶する短縮変換辞書記憶制御プログラム５−８などを記憶している。
【００２１】
辞書記憶部６は、例えば、ＲＯＭ、ＥＥＰＲＯＭ、ＦＤ、ＨＤ、ＭＤなどからなり、仮名漢字変換辞書、構文解析で参照される各辞書データを記憶している。
【００２２】
学習単語記憶部７は、例えば、ＲＡＭ、ＥＥＰＲＯＭなどからなり、電子メールの受信文から取り出した単語情報を記憶する返信者用学習単語バッファ、通常文書の作成において使用した単語情報を記憶する通常用学習単語バッファとして機能する領域を備えている。
【００２３】
短縮変換辞書記憶部８は、例えば、ＲＡＭ、ＥＥＰＲＯＭなどからなり、電子メールの受信文から取り出した単語情報の読みを見出し語として対応する漢字表記とを対にして記憶する返信者用短縮変換辞書、通常文書の作成において使用した単語情報の読みを見出し語として対応する漢字表記とを対にして記憶する通常用短縮変換辞書として機能する領域を備えている。
【００２４】
記憶媒体９は、例えば、本体装置と分離可能なＲＡＭ、ＥＥＰＲＯＭ、フロッピーディスク（ＦＤ）、ハードディスク（ＨＤ）、ＣＤ−ＲＯＭ、ＭＤなどで構成され、情報処理装置に利用され、入力部を用いて、文字列を入力する機能と、仮名漢字変換部を用いて、入力された文字列を仮名漢字変換辞書を参照して仮名漢字交じり文字列に変換する機能と、通信部を用いて、通信回線を介して電子メールを送受信する機能と、表示部を用いて、入力された文字列や電子メールの文書を表示する機能と、文字列取出部を用いて、電子メールの受信文から文字列を取り出す機能と、構文解析部を用いて、取り出した文字列を構文解析し各文節に分かつ機能と、単語情報取出部を用いて、各文節の単語情報を取り出す機能と、学習単語記憶部を用いて、取り出した単語情報を記憶する機能と、仮名漢字変換部は、電子メールの受信文に対する返信文を作成する際に学習単語記憶部を仮名漢字変換辞書より優先して用い、入力された文字列を仮名漢字交じり文字列に変換する機能とを制御部のコンピュータに実行させる情報処理プログラムを記憶してもよい。
【００２５】
記憶媒体読取部１０は、記憶媒体９の形態に応じて駆動する駆動部及び読取回路、例えば、ＦＤＤ、ＨＤＤ、ＣＤ−ＲＯＭＤ、ＭＤＤなどで構成され、記憶媒体９に記憶された本発明の情報処理プログラムをプログラムメモリにインストールする。これにより、本発明の情報処理装置を実現することができる。
バス１１は、制御部１が各部を制御するときの各種データを転送する。
【００２６】
図２は本実施例の学習単語記憶部・短縮変換辞書記憶部の領域例（１）を示す図である。図２において、２０１は通常用学習単語記憶部・短縮変換辞書記憶部として機能する領域を示し、２０２は返信用学習単語記憶部・短縮変換辞書記憶部として機能する領域を示す。
【００２７】
図３は本実施例の学習単語記憶部・短縮変換辞書記憶部の領域例（２）を示す図である。図３において、図３の（ａ）は返信者用アドレスのインデックスを示す。図３の（ｂ）は通常用領域、返信者用領域を示す。
【００２８】
図４は本実施例の電子メールの表示画面例（１）を示す図である。図４の（ａ）では、例えば、文字列取出プログラム５−２により、受信した電子メールの文書から文字列「次郎さんは地震が嫌いだ。」が取り出され、構文解析プログラム５−３により構文解析を行い、単語情報取出プログラム５−４により、その結果から「次郎」、「地震」、「嫌い」という単語情報が学習単語として取り出され、３つの学習単語を返信者用学習単語バッファの領域に記憶する（図５の（ｃ）参照）。
【００２９】
図５は本実施例の学習単語記憶部の学習内容例（１）を示す図である。図５において、図５の（ａ）は通常用学習単語バッファの学習内容を示し、図５の（ｂ）は初期化された返信用学習単語バッファを示す。図５の（ｃ）は返信用学習単語バッファの学習内容を示す。
【００３０】
〔実施例１〕
図７は本発明の実施例１による電子メールの単語情報処理の手順を示すフローチャートである。図４及び図５を用いて、図７のフロチャートを説明する。
Ｓ７０１：電子メール返信指示部２−１により返信が指示されると、文字列の取り出し位置を初期化する。
【００３１】
Ｓ７０２：電子メールの受信文があれば、Ｓ７０２〜Ｓ７０７の処理を繰り返す。
Ｓ７０３：通信部４により受信した電子メールから、文字列取出プログラム５−２により１文を取り出す。図４の表示画面に示す文字列「花子です」が取り出される。
Ｓ７０４：取り出し位置を次文の先頭にする。
【００３２】
Ｓ７０５：取り出した文字列「花子です」に対して構文解析プログラム５−３を用いて構文解析を行う。
Ｓ７０６：単語情報取出プログラム５−４により、構文解析結果から各文節の単語情報「花子」が取り出される。
【００３３】
Ｓ７０７：図５の（ｃ）に示すように、取り出した単語情報「花子」を、学習単語記憶制御プログラム５−６により、返信用学習単語バッファの領域に記憶し、Ｓ７０２に戻り、Ｓ７０２〜Ｓ７０７の処理を繰り返し、Ｓ７０２で受信文が終了すると、受信した電子メールの単語情報がすべて記憶されたことになる。
【００３４】
よって、電子メールの返信文を作成するとき、図４の（ｂ）に示すように、学習単語が学習単語バッファに記憶されていない状態では、仮名漢字変換プログラム５−５は、「じろうさんだけでなく、わたしもじしんがきらいです。」を「二郎さんだけでなく、私も自身が嫌いです。」と誤って変換するが、図４の（ｃ）に示すように、本発明では、受信した電子メールの文書から取り出された学習単語が返信者用学習単語バッファに記憶されているため、仮名漢字変換プログラム５−５は、「次郎さんだけでなく、私も地震が嫌いです。」と正しく変換することができる。
【００３５】
実施例１によれば、電子メールの受信文から取り出した単語情報を学習単語記憶部に予め記憶しておき、電子メールの返信文を作成する際に、この学習単語記憶部を仮名漢字変換辞書より優先して使用することにより、仮名漢字変換効率をより高くして、電子メールの返信文を効率よく作成することができる。
【００３６】
図６は本実施例の学習単語記憶部の学習内容例（２）を示す図である。図６において、図６の（ａ）は通常用学習単語バッファの領域に記憶された学習内容を示し、図６の（ｂ）は返信先の太郎さん用学習単語バッファの領域に記憶された学習内容を示す。図６の（ｃ）は返信先の花子さん用学習単語バッファの領域に記憶された学習内容を示す。図６の（ｄ）は返信先の花子さん用学習単語バッファの領域に更新記憶された学習内容を示す。
【００３７】
〔実施例２〕
図８は本発明の実施例２による電子メールの単語情報処理の手順を示すフローチャートである。図３、図６を用いて、図８のフロチャートを説明する。
Ｓ８０１：取り出した単語情報を返信者用学習単語バッファに記憶するために、返信先のメールアドレスを取得する。
Ｓ８０２：図３の（ａ）に示すインデックスから返信相手の学習単語バッファのアドレスを取得する。
【００３８】
Ｓ８０３〜Ｓ８０８において、実施例１のＳ７０１〜Ｓ７０６と同様の処理手順で単語情報を取り出す。
Ｓ８０９：学習記憶制御プログラム５−６にて、取得したアドレスの学習単語バッファの領域に単語情報（学習単語）を記憶する（図６の（ｄ）参照）。
【００３９】
よって、電子メールの返信文を作成するとき、仮名漢字変換プログラム５−５により、返信相手の学習単語バッファの領域を参照し、図４の（ｃ）に示すように、仮名漢字交じり文「次郎さんだけでなく、私も地震が嫌いです。」と正しく変換することができる。
【００４０】
実施例２によれば、電子メールの受信文から取り出した単語情報を返信者ごとに対応づけて学習単語記憶部の返信者用学習単語バッファに予め記憶しておき、電子メールの返信文を作成するときに、この学習単語記憶部を仮名漢字変換辞書より優先して使用することにより、仮名漢字変換効率をより高くして、電子メールの返信文を効率よく作成することができる。
【００４１】
さらに、返信者への返信操作を重ねるにつれ、学習単語もより拡充されていくため、返信だけでなく、その返信者へ新規に送信する場合でも、返信者が使用する単語情報を記憶した返信者用学習単語バッファを使用することができるので、効率のよい文書作成が可能となる。
【００４２】
図９は本実施例の電子メールの表示画面例（２）を示す図である。図９の（ａ）では、例えば、文字列取出プログラム５−２により、受信した電子メールの文書から「花子です。」が取り出され、構文解析プログラム５−３を用いて構文解析を行い、読み取出プログラム５−７により、その構文解析結果から読み「はなこです。」を取り出し、「見出し：登録語」＝〔は：花子です。〕を対にして返信者用短縮変換辞書に記憶する（図１０の（ｃ）参照）。
【００４３】
図１０は本実施例の短縮変換辞書記憶部の登録内容例（１）を示す図である。図１０において、図１０の（ａ）は通常用短縮変換辞書の領域を示し、図１０の（ｂ）は初期化された返信用短縮変換辞書の領域を示す。図１０の（ｃ）は返信用短縮変換辞書の領域に登録された登録内容を示す。
【００４４】
〔実施例３〕
図１２は本発明の実施例３による電子メールの情報処理の手順を示すフローチャートである。図９、図１０を用いて、図１２のフロチャートを説明する。
Ｓ１２０１：電子メール返信指示部２−１により返信が指示されると、文字列の取り出し位置を初期化する。
【００４５】
Ｓ１２０２：電子メールの受信文があれば、Ｓ１２０２〜Ｓ１２０７の処理を繰り返す。
Ｓ１２０３：通信部４により受信した電子メールから、文字列取出プログラム５−２により１文を取り出す。図９の表示画面に示す文字列「花子です」が取り出される。
Ｓ１２０４：取り出し位置を次文の先頭にする。
【００４６】
Ｓ１２０５：取り出した文字列「花子です」に対して構文解析プログラム５−３を用いて構文解析を行う。
Ｓ１２０６：読み取出プログラム５−７により、構文解析の結果から各文節の読み情報「おげんきですか。」が取り出される。
【００４７】
Ｓ１２０７：図１０の（ｃ）に示すように、取り出した読みの先頭文字「お」を見出し、登録語「お元気ですか。」を短縮変換候補として、短縮変換辞書記憶プログラム５−８により、返信者用の短縮変換辞書に記憶し、Ｓ１２０２に戻り、Ｓ１２０２〜Ｓ１２０７の処理を繰り返し、Ｓ１２０２で受信文が終了すると、受信した電子メールの登録語が短縮変換辞書にすべて記憶されたことになる。
【００４８】
よって、電子メールの返信文を作成するとき、学習単語が短縮変換辞書に記憶されていない状態では、「お元気ですか。」を入力するためには、「おげんきですか。」と仮名を入力し、仮名漢字変換プログラム５−５により「お元気ですか。」と変換させなければならないが、短縮変換辞書記憶制御プログラム５−８により、受信した文書を短縮変換辞書に記憶されていると、図９の（ｃ）に示すように、１文字「お」と入力するだけで、仮名漢字変換プログラム５−５により「お元気ですか。」と変換することができる。
【００４９】
実施例３によれば、電子メールの受信文から取り出した単語情報から短縮変換辞書を作成し、電子メールの受信文に含まれる文書を引用した返信文を作成するときに、短縮変換辞書として利用することにより、返信文を効率よく作成することができる。
【００５０】
図１１は本実施例の短縮変換辞書記憶部の登録内容例（２）を示す図である。図１１において、図１１の（ａ）は短縮変換辞書の領域に登録された登録内容を示し、図１１の（ｂ）は返信先の太郎さん用短縮変換辞書の領域に登録された登録内容を示す。図１１の（ｃ）は返信先の花子さん用短縮変換辞書の領域に登録された登録内容を示す。図１１の（ｄ）は返信先の花子さん用短縮変換辞書の領域に更新登録された登録内容を示す。
【００５１】
〔実施例４〕
図１３は本発明の実施例４による電子メールの情報処理の手順を示すフローチャートである。図９、図１１を用いて、図１３を説明する。
Ｓ１３０１：読みの先頭文字と登録語を対にして返信者用短縮変換辞書に記憶するために、返信先のメールアドレスを取得する。
Ｓ１３０２：図３の（ａ）に示すインデックスから返信相手の短縮変換辞書のアドレスを取得する。
【００５２】
Ｓ１３０３〜Ｓ１３０８において、実施例３のＳ１２０１〜Ｓ１２０６と同様の処理手順で読み情報を取り出す。
Ｓ１３０９：短縮変換辞書記憶プログラム５−８にて、取得したアドレスの短縮変換辞書の領域に見出し語と登録語を登録する（図１１の（ｄ）参照）。
【００５３】
実施例４によれば、電子メールの受信文から取り出した単語情報の読みと漢字を短縮変換辞書記憶部に予め返信者ごとに対応づけて記憶しておき、電子メールの受信文に含まれる文書を引用した返信文を作成するときに、短縮変換辞書として利用することにより、返信文を効率よく作成することができる。
【００５４】
以上の実施例１〜４では、受信した電子メールの単語情報を送信する相手に対応づけた学習単語バッファや短縮変換辞書に記憶しているが、返信用の電子メール作成中の仮名漢字変換処理で選択した単語情報を通常用の学習単語バッファや短縮変換辞書に記憶することも可能である。
また、新規に電子メールの送信文を作成する場合でも、あらかじめ送信相手を入力しておけば、送信相手の学習単語バッファや短縮変換辞書を使用して正しい変換候補に変換する仮名漢字変換方法を提供することができる。
【００５５】
【発明の効果】
本発明によれば、電子メールの受信文から取り出した単語情報を学習単語記憶部に予め記憶しておき、電子メールの返信文を作成する際に、この学習単語記憶部を仮名漢字変換辞書より優先して使用することにより、仮名漢字変換効率をより高くして、電子メールの返信文を効率よく作成することができる。
【図面の簡単な説明】
【図１】本発明の一実施例である電子メールの情報処理装置のハード構成の示すブロック図である。
【図２】本実施例の学習単語記憶部・短縮変換記憶部の領域例（１）を示す図である。
【図３】本実施例の学習単語記憶部・短縮変換記憶部の領域例（２）を示す図である。
【図４】本実施例の電子メールの表示画面例（１）を示す図である。
【図５】本実施例の学習単語記憶部の学習内容例（１）を示す図である。
【図６】本実施例の学習単語記憶部の学習内容例（２）を示す図である。
【図７】本発明の実施例１による電子メールの情報処理の手順を示すフローチャートである。
【図８】本発明の実施例２による電子メールの情報処理の手順を示すフローチャートである。
【図９】本実施例の電子メールの表示画面例（２）を示す図である。
【図１０】本実施例の短縮変換辞書記憶部の登録内容例（１）を示す図である。
【図１１】本実施例の短縮変換辞書記憶部の登録内容例（２）を示す図である。
【図１２】本発明の実施例３による電子メールの情報処理の手順を示すフローチャートである。
【図１３】本発明の実施例４による電子メールの情報処理の手順を示すフローチャートである。
【符号の説明】
１  制御部
２  入力部
３  表示部
４  通信部
５  プログラムメモリ
６  辞書記憶部
７  学習単語記憶部
８  短縮変換辞書記憶部
９  記憶媒体
１０  記憶媒体読取部
１１  バス
【図１】
0004221132.tif 000002
【図２】
0004221132.tif 000003
【図３】
0004221132.tif 000004
【図４】
0004221132.tif 000005
【図５】
0004221132.tif 000006
【図６】
0004221132.tif 000007
【図７】
0004221132.tif 000008
【図８】
0004221132.tif 000009
【図９】
0004221132.tif 000010
【図１０】
0004221132.tif 000011
【図１１】
0004221132.tif 000012
【図１２】
0004221132.tif 000013
【図１３】
0004221132.tif 000014